(57)【要約】【課題】復水部の下流側に非凝縮気体等を含む蒸気を更に凝縮させる冷却部を設けつつ、冷却部の設置面積を小さくする。【解決手段】複数の噴霧管から噴霧される冷却水により蒸気を冷却する復水室２０ｂと、復水室２０ｂにより冷却された蒸気が導入され、蒸気を冷却して外部へ排出する冷却室２０ｃと、を備え、冷却室２０ｃが、復水室２０ｂから排出される蒸気の一部が導入される第１流路２０ｄと、復水室２０ｂから排出される蒸気の他の一部が導入される第２流路２０ｅとを備えており、第１流路２０ｄおよび第２流路２０ｅのそれぞれが、復水室２０ｂにおける蒸気の流通方向と一致する第１方向が短く第１方向に直交する第２方向が長い筐体内に形成されている復水器２０を提供する。【選択図】図２
2015114019.tif 000002
【特許請求の範囲】
【請求項１】
蒸気タービンから排出された蒸気が導入され、複数の噴霧管から噴霧される冷却水により前記蒸気を冷却する復水部と、
該復水部により冷却された前記蒸気が導入され、該蒸気を冷却して外部へ排出する冷却部と、を備え、
前記冷却部が、前記復水部から排出される前記蒸気の一部が導入される第１流路と、前記復水部から排出される前記蒸気の他の一部が導入される第２流路とを備えており、
前記第１流路および前記第２流路のそれぞれが、前記復水部における前記蒸気の流通方向と一致する第１方向が短く該第１方向に直交する第２方向が長い筐体内に形成されている復水器。
【請求項２】
前記冷却部の前記第２方向の長さが、前記復水部の前記第２方向の長さと一致している請求項１に記載の復水器。
【請求項３】
前記復水部から前記第１流路に前記蒸気の一部が導入される第１開口部と、前記復水部から前記第２流路に前記蒸気の他の一部が導入される第２開口部とが、それぞれ前記筐体の下方に設けられており、
前記第１流路および前記第２流路のそれぞれは、前記筐体の下方から導入される前記蒸気を前記第２方向の端部で折り返しながら下方から上方に流通させ、前記筐体の上方から前記蒸気を外部に排出する請求項１または請求項２に記載の復水器。
【請求項４】
前記第１流路および前記第２流路のそれぞれは、前記筐体の高さ方向の複数の位置に配置され複数の孔が形成された複数の多孔板により仕切られて形成される流路であり、
前記筐体の高さ方向の最上段に配置される前記多孔板に冷却水を供給する供給部を備える請求項３に記載の復水器。
【請求項５】
前記復水部の底部に設けられたホットウェルと、
前記ホットウェルに貯留された貯留水を冷却する冷却塔と、
前記貯留水を前記冷却塔へ送水する貯留水送水流路と、
前記冷却塔で冷却された冷却水を前記復水部へ送水する冷却水供給流路と、
請求項１から請求項４のいずれか１項に記載の復水器と、
を備える復水システム。
【請求項６】
前記蒸気を排気する蒸気タービンと、
前記蒸気タービンにより得られる回転動力を基に発電を行う発電装置と、
請求項１から請求項４のいずれか１項に記載の復水器と、
を備える発電設備。
【発明の詳細な説明】
【技術分野】
【０００１】
本発明は、復水器、復水システム、および発電設備に関するものである。
【背景技術】
【０００２】
ボイラ等により蒸気を発生させる火力発電プラントなどでは、タービンにて仕事を終えた蒸気を再利用するため、冷却水と蒸気が直接接しない表面接触式復水器が利用されることが多い。一方、地熱発電においては、地中より連続的に噴気する蒸気を使用しその蒸気を再利用しないため、直接接触式復水器が利用されることが多い。
【０００３】
例えば特許文献１には、鉛直に配設された冷却水供給管が有するノズル体から冷却水を噴霧することにより、蒸気を凝縮させる直接接触式復水器が開示されている。
【先行技術文献】
【特許文献】
【０００４】
【特許文献１】特開２０１３−１４８２９６号公報
【発明の概要】
【発明が解決しようとする課題】
【０００５】
特許文献１に開示された復水器において、非凝縮気体等を含む蒸気は、胴部（復水室）の下流に設けられた排出口から排出される。特許文献１に開示された復水器には設けられていないが、非凝縮気体等を含む蒸気を更に凝縮させるには、復水室の下流に冷却部を設けることが望ましい。
しかしながら、復水室の下流に冷却部を設ける場合、冷却部を設けるのに必要となる設置面積が大きくなってしまうという問題がある。
また、冷却部内を流通する蒸気や非凝縮気体を効率的に冷却するには、冷却部内を流通する流体の流速を速めることが有効である。ところが、冷却部内を流通する流体の流速を速めるには流路を狭くかつ長くする必要があり、冷却部の設置面積が更に大きくなってしまう。
【課題を解決するための手段】
【０００６】
本発明は、このような事情に鑑みてなされたものであって、復水部の下流側に非凝縮気体等を含む蒸気を更に凝縮させる冷却部を設けつつ、冷却部の設置面積を小さくすることができる復水器、復水システム、および発電設備を提供することを目的とする。
【０００７】
上記課題を解決するために本発明は、以下の手段を採用する。
本発明に係る復水器は、蒸気タービンから排出された蒸気が導入され、複数の噴霧管から噴霧される冷却水により前記蒸気を冷却する復水部と、該復水部により冷却された前記蒸気が導入され、該蒸気を冷却して外部へ排出する冷却部とを備え、前記冷却部が、前記復水部から排出される前記蒸気の一部が導入される第１流路と、前記復水部から排出される前記蒸気の他の一部が導入される第２流路とを備えており、前記第１流路および前記第２流路のそれぞれが、前記復水部における前記蒸気の流通方向と一致する第１方向が短く該第１方向に直交する第２方向が長い筐体内に形成されている。
【０００８】
本発明に係る復水器によれば、蒸気タービンから排出された蒸気の一部が復水部にて凝縮し、復水部にて凝縮されなかった蒸気が冷却部に導入される。冷却部に導入される蒸気は、その一部が第１流路に導入され、他の一部が第２流路に導入される。復水部から第１方向に沿って冷却部に流入した蒸気の流通方向は、冷却部内で第２方向に切り替えられる。第１流路および第２流路のそれぞれは、復水部における蒸気の流通方向と一致する第１方向が短く、第１方向に直交する第２方向が長い筐体内に形成されている。そのため、冷却部に導入された蒸気は、第２方向に沿って第１流路および第２流路内を流通し、十分に冷却された状態で外部に排出される。
【０００９】
このようにすることで、復水部の下流側に冷却部を設けつつ、復水部における蒸気の流通方向における冷却部の長さを短くして復水器の全長が長くなることを避けることができる。
したがって、本発明に係る復水器によれば、復水部の下流側に非凝縮気体等を含む蒸気を更に凝縮させる冷却部を設けつつ、冷却部の設置面積を小さくすることができる。
【００１０】
本発明の第１態様の復水器は、前記冷却部の前記第２方向の長さが、前記復水部の前記第２方向の長さと一致している。
このようにすることで、冷却部の第２方向の長さが復水部の第２方向の長さ（復水部の幅）を超えないようにしつつ、冷却部における流路の長さを最大限に確保することができる。
【００１１】
本発明の第２態様の復水器は、前記復水部から前記第１流路に前記蒸気の一部が導入される第１開口部と、前記復水部から前記第２流路に前記蒸気の他の一部が導入される第２開口部とが、それぞれ前記筐体の下方に設けられており、前記第１流路および前記第２流路のそれぞれは、前記筐体の下方から導入される前記蒸気を前記第２方向の端部で折り返しながら下方から上方に流通させ、前記筐体の上方から前記蒸気を外部に排出する。
【００１２】
本態様の復水器によれば、第１流路が形成される筐体の下方の第１開口部から導入される蒸気は、第２方向の端部で折り返しながら筐体の高さ方向の下方から上方に徐々に流通し、外部に排出される。同様に、第２流路が形成される筐体の下方の第２開口部から導入される蒸気は、第２方向の端部で折り返しながら筐体の高さ方向の下方から上方に徐々に流通し、外部に排出される。
このようにすることで、折り返しの回数に応じた分だけ十分に流路長が確保された流路において、十分に蒸気を冷却することができる。
【００１３】
上記態様の復水器においては、前記第１流路および前記第２流路のそれぞれは、前記筐体の高さ方向の複数の位置に配置され複数の孔が形成された複数の多孔板により仕切られて形成される流路であり、前記筐体の高さ方向の最上段に配置される前記多孔板に冷却水を供給する供給部を備える構成にしてもよい。
【００１４】
上記構成の復水器によれば、筐体の高さ方向の最上段に配置される多孔板に冷却水が供給され、その多孔板から下方の多孔板に段階的に冷却水が滴下する。上方の多孔板から下方の多孔板に冷却水が滴下する際に、流路を流通する蒸気が冷却される。
このようにすることで、筐体の下方から上方に向けて流通する蒸気を、段階的に効率よく冷却することができる。
【００１５】
本発明に係る復水システムは、前記復水部の底部に設けられたホットウェルと、前記ホットウェルに貯留された貯留水を冷却する冷却塔と、前記貯留水を前記冷却塔へ送水する貯留水送水管と、前記冷却塔で冷却された冷却水を前記復水部へ送水する冷却水供給管と、上記のいずれかに記載の復水器とを備える。
このようにすることで、復水部の下流側に非凝縮気体等を含む蒸気を更に凝縮させる冷却部を設けつつ、冷却部の設置面積を小さくした復水器を備える復水システムを提供することができる。
【００１６】
本発明に係る発電設備は、前記蒸気を排気する蒸気タービンと、前記蒸気タービンにより得られる回転動力を基に発電を行う発電装置と、上記のいずれかに記載の復水器とを備える。
このようにすることで、復水部の下流側に非凝縮気体等を含む蒸気を更に凝縮させる冷却部を設けつつ、冷却部の設置面積を小さくした復水器を備える発電設備を提供することができる。
【発明の効果】
【００１７】
本発明によれば、復水部の下流側に非凝縮気体等を含む蒸気を更に凝縮させる冷却部を設けつつ、冷却部の設置面積を小さくすることができる復水器、復水システム、および発電設備を提供することができる。
【図面の簡単な説明】
【００１８】
【図１】本発明の一実施形態にかかる復水システムを示す系統図である。
【図２】図１に示す復水器の横断面図である。
【図３】図２に示す復水器のＡ−Ａ矢視断面図である。
【図４】図２に示す復水器のＢ−Ｂ矢視断面図である。
【図５】本実施形態の比較例の復水器の平面図である。
【図６】図５に示す復水器のＣ−Ｃ矢視断面図である。
【図７】図５に示す復水器のＤ−Ｄ矢視断面図である。
【発明を実施するための形態】
【００１９】
以下に、本発明の一実施形態について、図面を参照して説明する。
本実施形態の復水システム１００は、対流型地熱発電設備や高温岩体型地熱発電に適用可能である。対流側型地熱発電設備は、火山活動による地熱で高温となった蒸気や高温の地下水を地上に汲み出すことにより、発電に必要な蒸気を得る設備である。一方、高温岩体型地熱発電設備は、地熱により高温となった地層に注水を行うことにより、発電に必要な蒸気を得る設備である。高温岩体型地熱発電設備は、地下に注水を行うための坑井を有している。
【００２０】
図１に示すように、本実施形態の復水システム１００を含む発電設備は、蒸気タービン１０と、復水器２０と、冷却塔３０と、エジェクタ４０と、中間冷却器５０とを備える。
ここで、図２は、復水器２０の横断面図である。すなわち、復水器２０の高さ方向の略中間位置を断面とし、その断面を復水器２０の上方からみた図となっている。排出口２７は、横断面図には表れないので、仮想線（２点鎖線）にて、その位置が示されている。
【００２１】
図２に示すように、蒸気タービン１０から排出された蒸気は、復水器２０の中間胴２０ａから導入され、復水室２０ｂ（復水部）に導かれる。復水室２０ｂに導入された蒸気は冷却され、冷却室２０ｃに導入される。冷却室２０ｃに導入された蒸気は、更に冷却され、復水器２０の外部に排出される。
【００２２】
冷却室２０ｃは、復水室２０ｂから排出される蒸気の一部が導入される第１流路２０ｄと、復水室２０ｂから排出される蒸気の他の一部が導入される第２流路２０ｅとを備えている。第１流路２０ｄおよび第２流路２０ｅのそれぞれを形成する筐体は箱型となっており、図２中に矢印で示される復水室２０ｂにおける蒸気の流通方向と一致する復水室２０の長さ方向（以下、第１方向という。）の長さがＬとなっており、それに流通方向に直交する復水室２０ｂの幅方向（以下、第２方向という。）の長さがＷ１となっている。
【００２３】
図２に示すように、第１流路２０ｄおよび第２流路２０ｅのそれぞれを形成する筐体の第１方向の長さＬが短く、第２方向の長さＷ１が長くなっている。また、第１流路２０ｄおよび第２流路２０ｅからなる冷却室２０ｃの第２方向の長さは、長さＷ１の２倍の長さとなっている。そして、冷却室２０ｃの第２方向の長さは、復水室２０ｂの第２方向の長さＷ０と一致している。
【００２４】
図４に示すように、第１流路２０ｄに導入される一部の蒸気は、第２方向に沿って第１流路２０ｄ内を流通する。また、第２流路２０ｅに導入される一部の蒸気は、復水室２０ｂの幅方向に沿って第２流路２０ｅ内を流通する。第１流路２０ｄおよび第２流路２０ｅのそれぞれは、流通方向の長さＬが短く、復水室２０ｂの幅方向の長さＷ１が長い箱型の筐体内に形成されている。そのため、冷却室２０ｃに導入された蒸気は、復水室２０ｂの幅方向に沿って第１流路２０ｄおよび第２流路２０ｅ内を流通し、十分に冷却された状態で復水器２０の外部に排出される。このようにすることで、復水室２０ｂの下流側に冷却室２０ｃを設けつつ、流通方向における冷却室２０ｃの長さＬを短くして復水器２０の全長が長くなることを避けることができる。
【００２５】
以下、本実施形態の復水システム１００の各部について説明する。
蒸気タービン１０は、地中から噴出する蒸気または熱水を、気水分離器（不図示）などで減圧することにより得られる蒸気により発電装置（不図示）を駆動する装置である。気水分離器（不図示）などで減圧された蒸気は、蒸気導入流路１を介して蒸気タービン１０に導入される。発電装置は、蒸気タービンにより得られる回転動力を基に発電を行う。
【００２６】
蒸気タービン１０に導入された蒸気は、蒸気タービン１０を回転させる動力として仕事をした後に排出され、復水器２０の中間胴２０ａを介して復水室２０ｂに導入される。復水室２０ｂ内は、蒸気タービン１０の起動時には、エジェクタや真空ポンプなどの空気抽出器（不図示）により減圧される。また、蒸気タービン１０の通常運転時には復水器２０が蒸気タービン１０から導入される蒸気を冷却することにより復水器２０の内部が減圧された状態となる。蒸気タービン１０から復水器２０に導入される蒸気の温度は、諸処の条件により変化するが、約５０℃である。
【００２７】
復水室２０ｂの中間胴２０ａ側の側面には、導入口２１が設けられている。中間胴２０ａの復水室２０ｂ側の側面と、復水室２０ｂの中間胴２０ａ側の側面とは、導入口２１を介して連通した状態となっている。
一方、復水室２０ｂの冷却室２０ｃ側の側面には、第１開口部２２と、第２開口部２３とが設けられている。
【００２８】
第１開口部２２には復水室２０ｂで冷却された蒸気の一部が導入され、第２開口部２３には復水室２０ｂで冷却された蒸気の他の一部が導入される。図２に示す様に、第１開口部２２の第２方向の幅と、第２開口部２３の第２方向の幅とは同幅となっている。したがって、復水室２０ｂで冷却された蒸気（約５０℃）は、第１開口部２２と第２開口部２３のそれぞれに、半分に分割されて導入される。
【００２９】
復水室２０ｂの内部には、内部に冷却水が流通する円筒形状の噴霧管２４（噴霧管２４ａ，２４ｂ，２４ｃを含む）が、図２および図３に示すように、複数配置されている。複数の噴霧管２４のそれぞれには、高さ方向の異なる位置、かつ、横断面における周方向の異なる位置（図２中では９０°ずつの４箇所の位置）に、冷却水を噴霧する噴霧口が設けられている。噴霧管１１は、復水室２０ｂの底部から鉛直方向の上方に向けて延在するように配設されている。
【００３０】
複数の噴霧管２４のそれぞれは、下端部がヘッダ２５に連結されており、上端部が封止されている。ヘッダ２５には冷却水供給流路６０を介して冷却塔３０から送水される冷却水が供給されている。ヘッダに供給された冷却水は、複数の噴霧管２４のそれぞれに供給され、各噴霧管２４が備える噴霧口から復水室２０ｂの内部に放射状に噴霧される。復水室２０ｂの内部を流通する蒸気と、噴霧口から噴霧された冷却水が直接接触することにより、蒸気が冷却される。
【００３１】
図３に示すように、複数の噴霧管２４は、開口部２１のおける蒸気の進行方向に対して略垂直となるように所定の間隔で配設されている。開口部２１は、噴霧管２４の噴霧口に対向する位置に設けられている。これにより、中間胴２０ａから開口部２１を介して復水室２０ｂに導入される蒸気が、冷却水により十分に冷却されるようになっている。
【００３２】
復水室２０ｂでの冷却により凝縮した蒸気と、噴霧管２４から噴霧された冷却水は、図３に示す復水室２０ｂの底部に設けられたホットウェル２６に貯留水として貯留される。一方、復水室２０ｂでの冷却では凝縮しなかった蒸気は、その一部が第１開口部２２を介して第１流路２０ｄに流入し、他の一部が第２開口部２３を介して第２流路２０ｅに流入する。
【００３３】
図３および図４に示すように、第１開口部２２は第１流路２０ｄを形成する筐体の下方に設けられており、第２開口部２３は第２流路２０ｅを形成する筐体の下方に設けられている。
図２で流通方向が矢印で示される蒸気は、流通方向を変えずに復水室２０ｂを通過し、第１開口部２２および第２開口部２３を介して、それぞれ第１流路２０ｄおよび第２流路２０ｅに導入される。
【００３４】
第１流路２０ｄに導入された蒸気の流通方向は、図２に示す流通方向（第１方向）から、第１方向に直交する第２方向に切り換えられる。図４に矢印で示すように、第１流路２０ｄは、第１開口部２２から導入されて第２方向に流通方向が切り換えられた蒸気を、第１流路２０ｄを形成する筐体の端部で折り返しながら、下方から上方に流通させる。第１流路２０ｄの最上部に到達した蒸気は、排出口２７を介して復水器２０の外部に排出される。
【００３５】
また、第２流路２０ｅに導入された蒸気の流通方向は、図２に示す流通方向（第１方向）から、第１方向に直交する第２方向に切り換えられる。図４に矢印で示すように、第２流路２０ｅは、第２開口部２３から導入されて第２方向に流通方向が切り換えられた蒸気を、第２流路２０ｅを形成する筐体の端部で折り返しながら、下方から上方に流通させる。第２流路２０ｅの最上部に到達した蒸気は、排出口２７を介して復水器２０の外部に排出される。
【００３６】
図３および図４に示すように、第１流路２０ｄは、第１流路２０ｄを形成する筐体の高さ方向の複数の位置に配置される多孔板２８（２８ａ，２８ｂ，２８ｃ）により仕切られて形成される流路である。各多孔板２８には、図４中に斜線で示されるように、複数の孔が形成された多孔部が形成されている。
【００３７】
図４に示すように、第１流路２０ｄの筐体の上部には、最上段に配置される多孔板２８ｃに冷却水を供給する供給部６１ａが設けられている。供給部６１ａには、冷却水供給流路６０から分岐した分岐流路６１を介して冷却塔３０からの冷却水が供給される。供給部６１ａに供給された冷却水は、最上段に配置される多孔板２８ｃに供給され、多孔板２８ｃの多孔部に設けられた孔を介して下段の多孔板２８ｂに滴下する。同様に、多孔板２８ｂに供給された冷却水は、多孔板２８ｂに設けられた孔を介して最下段の多孔板２８ａに滴下する。更に、多孔板２８ａに供給された冷却水は、多孔板２８ａに設けられた孔を介してホットウェル２６に滴下する。
【００３８】
図３および図４に示すように、第２流路２０ｅは、第２流路２０ｅを形成する筐体の高さ方向の複数の位置に配置される多孔板２９（２９ａ，２９ｂ，２９ｃ）により仕切られて形成される流路である。各多孔板２９には、図４中に斜線で示されるように、複数の孔が形成された多孔部が形成されている。
【００３９】
図４に示すように、第２流路２０ｅの筐体の上部には、最上段に配置される多孔板２９ｃに冷却水を供給する供給部６１ｂが設けられている。供給部６１ｂには、冷却水供給流路６０から分岐した分岐流路６１を介して冷却塔３０からの冷却水が供給される。供給部６１ｂに供給された冷却水は、最上段に配置される多孔板２９ｃに供給され、多孔板２９ｃの多孔部に設けられた孔を介して下段の多孔板２９ｂに滴下する。同様に、多孔板２９ｂに供給された冷却水は、多孔板２９ｂに設けられた孔を介して最下段の多孔板２９ａに滴下する。更に、多孔板２９ａに供給された冷却水は、多孔板２９ａに設けられた孔を介してホットウェル２６に滴下する。
【００４０】
このように、供給部６１ａ，６１ｂから供給された冷却水は、第１流路２０ｄ，第２流路２０ｅの上方から下方に向けて滴下する。複数の多孔板２８のそれぞれの間には、第１開口部２２から流入した蒸気が通過するようになっており、これらの蒸気は、上段の多孔板２８から下段の多孔板２８に滴下する冷却水により冷却される。同様に、複数の多孔板２９のそれぞれの間には、第２開口部２３から流入した蒸気が通過するようになっており、これらの蒸気は、上段の多孔板２９から下段の多孔板２９に滴下する冷却水により冷却される。
【００４１】
復水器２０の排出口２７から排出された蒸気は、排出流路４１を介してエジェクタ４０に供給される。エジェクタ４０は、蒸気導入流路１から供給される蒸気を噴射することにより内部に負圧を発生させ、その負圧によって排出流路４１内の蒸気を排出流路４２に排出する装置である。負圧の大きさは、蒸気導入流路１に設けられた調整弁７０により調整されるようになっている。
【００４２】
エジェクタ４０によって排出流路４２に排出された蒸気は、中間冷却器５０に導入される。中間冷却器５０には、冷却塔３０からの冷却水が、冷却水供給流路６０から分岐した分岐流路６２を介して供給される。中間冷却器５０に導入された蒸気（約２５℃）は、分岐流路６２から供給される冷却水（約２０℃）によって冷却される。中間冷却器５０による冷却により凝縮した蒸気と、分岐流路６２を介して供給された冷却水は、流路６３を介してホットウェル２６に供給される。流路６３を介してホットウェル２６に戻る冷却水は、約４０℃となっている。中間冷却器５０により冷却された蒸気は、ブロワ８０によって冷却塔３０に導かれ、外部（大気中）に排出される。
【００４３】
次に、ホットウェル２６に貯留された貯留水の循環について説明する。
ホットウェル２６に貯留された貯留水（約４５℃）は、貯留水送水流路９１に設けられたホットウェルポンプ９０により、貯留水送水流路９１を介して、ホットウェル２６から冷却塔３０に送水される。
【００４４】
冷却塔３０は、貯留水送水流路９１を介して供給される貯留水を散水装置により散水して貯留水を冷却する。冷却塔３０により冷却された貯留水は、冷却水（約２０℃）となって、冷却水供給流路６０に供給される。
【００４５】
次に、本実施形態の比較例の復水器２０′について、図５から図７を参照して説明する。本実施形態の復水器２０と、比較例の復水器２０′とは、冷却部の構造が異なる点を除き、同様であるものとする。
本実施形態の復水器２０の冷却部２０ｃは、図３に示すように復水室２０ｂにおける蒸気の流通方向（第１方向）の長さＬが短く、第１方向に直交する第２方向の長さＷ０が長いものであった。
それに対して、比較例の復水器２０′の冷却室２０ｆは、図５に示すように復水室２０ｂにおける蒸気の流通方向（第１方向）の長さＬ′が長く、第１方向に直交する第２方向の長さＷ２が短いものである。
【００４６】
比較例の復水器２０′の冷却室２０ｆの構造を、図５に示すように第２方向が短い形状としているのは、この幅を復水室２０ｂと同幅のＷ０とすると、冷却室２０ｆ内で流通する蒸気の流速を十分な速度とすることができないからである。冷却室２０ｆ内で流通する蒸気の流速を十分な速度とするには、流路内で蒸気が流通する流通方向に直交する方向の長さ（図５では幅Ｗ２）を、復水室２０ｂの幅Ｗ０よりも短くする必要がある。
【００４７】
冷却室２０ｆの第２方向の長さＷ２を短くする場合、比較例の冷却室２０ｆにおいて本実施形態の冷却室２０ｃと同様の冷却効果を得るには、冷却室２０ｆに形成される流路の長さを保つために、第１方向の長さＬ′を長くする必要がある。図６に示すように、第１方向の長さＬ′を長くすることにより、冷却室２０ｆの第１方向の端部で折り返しながら蒸気が流通する流路を形成し、冷却効果を得ることができる。この場合、図３および図５を対比すると明らかなように、本実施形態の復水器２０よりも比較例の復水器２０′の方が、復水器の全長が長くなる。また、図５および図７に示すように、比較例の復水器２０′の方が、冷却室２０ｆの両側部にデッドスペース（図中の×印）ができてしまう。
【００４８】
このように、本実施形態の冷却室２０ｃと、比較例の冷却室２０ｆによれば、同様の冷却効果を得られるが、本実施形態の冷却室２０ｃの方が復水器の全長を短くし、デットスペースができるのを避けることができる。
【００４９】
以上説明した本実施形態の復水システム１００が備える復水器２０が奏する作用および効果について説明する。
本実施形態の復水器２０によれば、蒸気タービン１０から排出された蒸気の一部が復水室２０ｂ（復水部）にて凝縮し、復水室２０ｂにて凝縮されなかった蒸気が冷却室２０ｃ（冷却部）に導入される。冷却室２０ｃに導入される蒸気は、その一部が第１流路２０ｄに導入され、他の一部が第２流路２０ｅに導入される。復水室２０ｂから蒸気の流路方向（第１方向）に沿って冷却室２０ｃに流入した蒸気の流通方向は、冷却室２０ｃ内で第１方向から第２方向に切り替えられる。第１流路２０ｄおよび第２流路２０ｅのそれぞれは、復水室２０ｂにおける蒸気の流通方向と一致する第１方向が短く、第１方向に直交する第２方向が長い箱型の筐体内に形成されている。そのため、冷却室２０ｃに導入された蒸気は、第２方向に沿って第１流路２０ｄおよび第２流路２０ｅ内を流通し、十分に冷却された状態で外部に排出される。
【００５０】
このようにすることで、復水室２０ｂの下流側に冷却室２０ｃを設けつつ、復水室２０ｂにおける蒸気の流通方向における冷却室２０ｃの長さを短くして復水器２０の全長が長くなることを避けることができる。
したがって、本実施形態の復水器２０によれば、復水室２０ｂの下流側に非凝縮気体等を含む蒸気を更に凝縮させる冷却室２０ｃを設けつつ、冷却室２０ｃの設置面積を小さくすることができる。
【００５１】
本実施形態の復水器２０は、冷却室２０ｃの第２方向の長さが、復水室２０ｂの第２方向の長さと一致している。
このようにすることで、冷却室２０ｃの第２方向の長さＷ０が復水室２０ｂの第２方向の長さ（復水器２０の幅Ｗ０）を超えないようにしつつ、冷却室２０ｃにおける流路の長さを最大限に確保することができる。
【００５２】
本実施形態の復水器２０は、復水室２０ｂから第１流路２０ｄに蒸気の一部が導入される第１開口部２２と、復水室２０ｂから第２流路２０ｅに蒸気の他の一部が導入される第２開口部２３とが、それぞれ筐体の下方に設けられている。また、第１流路２０ｄおよび第２流路２０ｅのそれぞれは、筐体の下方から導入される蒸気を第２方向の端部で折り返しながら下方から上方に流通させ、筐体の上方から蒸気を外部に排出する。
【００５３】
このような本実施形態の復水器２０によれば、第１流路２０ｄが形成される筐体の下方の第１開口部２２から導入される蒸気は、第２方向の端部で折り返しながら筐体の高さ方向の下方から上方に徐々に流通し、外部に排出される。同様に、第２流路２０ｅが形成される筐体の下方の第２開口部２３から導入される蒸気は、第２方向の端部で折り返しながら筐体の高さ方向の下方から上方に徐々に流通し、外部に排出される。
このようにすることで、折り返しの回数に応じた分だけ十分に流路長が確保された流路において、十分に蒸気を冷却することができる。
【００５４】
本実施形態の復水器２０は、第１流路２０ｄおよび第２流路２０ｅのそれぞれは、筐体の高さ方向の複数の位置に配置され複数の孔が形成された複数の多孔板２８，２９により仕切られて形成される流路であり、筐体の高さ方向の最上段に配置される多孔板２８ｃ，２９ｃに冷却水を供給する供給部６１ａ，６１ｂを備える。
【００５５】
このような本実施形態の復水器２０によれば、筐体の高さ方向の最上段に配置される多孔板２８ｃ，２９ｃに冷却水が供給され、その多孔板２８ｃ，２９ｃから下方の多孔板に段階的に冷却水が滴下する。上方の多孔板から下方の多孔板に冷却水が滴下する際に、第１流路２０ｄ，第２流路２０ｅを流通する蒸気が冷却される。
このようにすることで、筐体の下方から上方に向けて流通する蒸気を、段階的に効率よく冷却することができる。
【００５６】
本実施形態の復水システム１００は、復水室２０ｂの底部に設けられたホットウェル２６と、ホットウェル２６に貯留された貯留水を冷却する冷却塔３０と、貯留水を冷却塔３０へ送水する貯留水送水流路９１と、冷却塔３０で冷却された冷却水を復水室２０ｂへ送水する冷却水供給流路６０と、復水器２０とを備える。
このようにすることで、復水室２０ｂの下流側に非凝縮気体等を含む蒸気を更に凝縮させる冷却室２０ｃを設けつつ、冷却室２０ｃの設置面積を小さくした復水器２０を備える復水システム１００を提供することができる。
【００５７】
本実施形態の発電設備は、蒸気を排気する蒸気タービン１０と、蒸気タービン１０により得られる回転動力を基に発電を行う発電装置と、復水器２０とを備える。
このようにすることで、復水室２０ｂの下流側に非凝縮気体等を含む蒸気を更に凝縮させる冷却室２０ｃを設けつつ、冷却室２０ｃの設置面積を小さくした復水器２０を備える発電設備を提供することができる。
【００５８】
本実施形態においては、図２に示すように、冷却室２０ｃの第２方向の長さを復水室２０ｂの幅Ｗ０と一致させるようにしたが、他の態様であってもよい。具体的には、第１流路２０ｄおよび第２流路２０ｅによる冷却効果が十分に発揮できる範囲内で、冷却室２０ｃの第２方向の長さを復水室２０ｂの幅Ｗ０よりも短くしてもよい。このようにしても、復水器２０の全長は長くならず、復水器２０の設置面積が増加することもない。
【符号の説明】
【００５９】
１      蒸気導入流路
１０    蒸気タービン
２０    復水器
２０ａ  中間胴
２０ｂ  復水室（復水部）
２０ｃ  冷却室（冷却部）
２０ｄ  第１流路
２０ｅ  第２流路
２２    第１開口部
２３    第２開口部
２４    噴霧管
２６    ホットウェル
３０    冷却塔
６０    冷却水供給流路
９１    貯留水送水流路
１００  復水システム
【図１】
2015114019.tif 000003
【図２】
2015114019.tif 000004
【図３】
2015114019.tif 000005
【図４】
2015114019.tif 000006
【図５】
2015114019.tif 000007
【図６】
2015114019.tif 000008
【図７】
2015114019.tif 000009